(57)【要約】      （修正有）【課題】スプーンの大きさを十分に確保すること、容器の底近くにある液状物をストローでもって飲用できること、使い勝手が良好なことを全て満足させるスプーン付きストローを提供する。【解決手段】スプーン２０は、ストロー１０に対する固定部２１と、飲食物をすくい上げる本体部２２と、固定部と本体部とを連結する連結部２３とを有する。連結部に形成されたヒンジ部４０を中心として本体部の揺動に応じて、本体部の先端がストローの先端よりも大きく先端側に向けて突出されたスプーン使用位置と、スプーン使用位置から本体部がストローの径方向外方側に向けて揺動された待避位置と、をとり得るようにされる。本体部の揺動のうち、スプーン使用位置から待避位置とは反対側に向けての揺動を規制する規制部を有している（例えばスリット３０の相対向する一対の面３０ａと３０ｂとの当接による揺動規制）。【選択図】図７
2019111340.tif 000002
【特許請求の範囲】
【請求項１】
ストローと、該ストローとは別体に形成されると共に該ストローの先端部に固定されたスプーンと、を備え、
前記スプーンは、前記ストローの先端部に対する固定部と、飲食物をすくい上げる本体部と、該固定部と該本体部とを連結する連結部と、を有し、
前記連結部にヒンジ部が形成されて、該ヒンジ部を中心として前記本体部が揺動可能とされ、
前記ヒンジ部を中心とした前記本体部の揺動に応じて、前記本体部の先端が前記ストローの先端よりも大きく先端側に向けて突出されたスプーン使用位置と、該スプーン使用位置から該本体部が該ストローの径方向外方側に向けて揺動された待避位置と、をとり得るようにされ、
前記本体部の揺動のうち、前記スプーン使用位置から前記待避位置とは反対側に向けての揺動を規制する規制部を有している、
ことを特徴とするスプーン付きストロー。
【請求項２】
請求項１において、
前記スプーンが、全体的に合成樹脂による一体成形されている、ことを特徴とするスプーン付きストロー。
【請求項３】
請求項１または請求項２において、
前記固定部が、筒状とされて、前記ストローの先端部外周に嵌合されている、ことを特徴とするスプーン付きストロー。
【請求項４】
請求項１ないし請求項３のいずれか１項において、
前記ヒンジ部が、前記連結部に形成された薄肉部によって構成されている、ことを特徴とするスプーン付きストロー。
【請求項５】
請求項４において、
前記ヒンジ部を構成する薄肉部の左右端部が部分的に肉厚とされている、ことを特徴とするスプーン付きストロー。
【請求項６】
請求項４または請求項５において、
前記連結部のうち、前記本体部の裏面側となる面にスリットが形成されることにより、前記薄肉部が形成され、
前記規制部が、前記スプーン使用位置において前記スリットが閉じられた状態とされることによって構成されている、
ことを特徴とするスプーン付きストロー。
【請求項７】
請求項４または請求項５において、
前記連結部のうち、前記本体部の裏面側となる面に前記ストローの長手方向に間隙を有するスリットが形成されることにより、前記薄肉部が形成され、
前記スリットの相対向する一方の面に、他方の面に向けて延びる突起部が形成され、
前記規制部が、前記本体部を前記使用位置から前記待避位置とは反対方向に揺動させたときに前記突起部が前記他方の面に当接することによって構成されている、
ことを特徴とするスプーン付きストロー。
【請求項８】
請求項１ないし請求項７のいずれか１項において、
前記ストローの先端が、前記本体部の基端部またはその直近にまで延びており、
前記スプーン使用位置において、前記ストローの先端部が前記本体部の基端部またはその直近を裏面側から支承することにより前記規制部が構成されている、
ことを特徴とするスプーン付きストロー。
【請求項９】
請求項３において、
前記ストローは、先端部が小径部とされて、基端部側の大径部との境界に段部が形成されており、
前記固定部が、前記小径部の外周に嵌合されると共に前記段部に当接されている、
ことを特徴とするスプーン付きストロー。
【請求項１０】
請求項３において、
前記固定部の先端部側に、径方向内方側に向けて突出するストッパ部が形成され、
前記固定部内に嵌合されたストローの先端が、前記ストッパ部に当接されている、
ことを特徴とするスプーン付きストロー。
【請求項１１】
請求項３、請求項９、請求項１０のいずれか１項において、
前記ストローの先端部外周に凹部が形成され、
前記固定部の内面に形成された凸部が、前記凹部に嵌合されている、
ことを特徴とするスプーン付きストロー。
【発明の詳細な説明】
【技術分野】
【０００１】
本発明は、スプーン付きストローに関するものである。
【背景技術】
【０００２】
飲食物の中には、例えばコーヒーフロートやクリームソーダ等の液状の飲用物と非液状の飲食物との両方を含むものがあり、また例えばかき氷やシャーベット等のように初期時は非液状であるが、時間がたつにつれて溶けて液状になるものもある。このように、液状物と非液状物との両方の飲食物に対応可能とするために、ストローの先端部にスプーンを付加したスプーン付きストローを用いるのが便利である。
【０００３】
特許文献１（の図２）に開示されているスプーン付きストローは、ストローの先端部を部分的に切り開いてスプーンを構成したものとなっている。また、特許文献２には、ストローとは別部材とされたスプーンとフォークとを選択的にストローの先端部に取付けるようにしたものが開示されている。
【先行技術文献】
【特許文献】
【０００４】
【特許文献１】特開２００６−３１５７０３号公報
【特許文献２】特開２００５−１１８５２２号公報
【発明の概要】
【発明が解決しようとする課題】
【０００５】
前述した特許文献１に記載のものでは、ストローの先端部を切り開いてスプーン（スプーン部位）を構成することから、スプーンとして十分な大きさを確保することが難しいものとなる。また、スプーンが、ストローの先端開口よりもさらに大きく先端側に位置することから、容器内の液状物が残り少ないとき（液位が低いとき）に、スプーンが邪魔となってストローを利用した飲用を行うことができないことになる。
【０００６】
特許文献２に記載のものは、スプーンとして十分な大きさを確保することが可能であり、またスプーンを取外した状態とすることにより、容器の底近くにある液状物をストローでもって飲用することが可能になる。しかしながら、飲食対象物が液状であるのか非液状であるのかに応じて、スプーンをストローに取付けたり取外したりする必要があり、使い勝手の悪いものとなる。
【０００７】
本発明は以上のような事情を勘案してなされたもので、その目的は、スプーンの大きさを十分に確保することができ、容器の底近くにある液状物をストローでもって飲用することができ、しかも使い勝手の良好なスプーン付きストローを提供することにある。
【課題を解決するための手段】
【０００８】
前記目的を達成するため、本発明にあっては次のような解決手法を採択してある。すなわち、請求項１に記載のように、
ストローと、該ストローとは別体に形成されると共に該ストローの先端部に固定されたスプーンと、を備え、
前記スプーンは、前記ストローの先端部に対する固定部と、飲食物をすくい上げる本体部と、該固定部と該本体部とを連結する連結部と、を有し、
前記連結部にヒンジ部が形成されて、該ヒンジ部を中心として前記本体部が揺動可能とされ、
前記ヒンジ部を中心とした前記本体部の揺動に応じて、前記本体部の先端が前記ストローの先端よりも大きく先端側に向けて突出されたスプーン使用位置と、該スプーン使用位置から該本体部が該ストローの径方向外方側に向けて揺動された待避位置と、をとり得るようにされ、
前記本体部の揺動のうち、前記スプーン使用位置から前記待避位置とは反対側に向けての揺動を規制する規制部を有している、
ようにしてある。
【０００９】
上記解決手法によれば、非液状物を飲食するときは、スプーン使用位置として、ストローを把持しつつ、本体部でもって非液状物をすくい上げて飲食することができ、また液状物の液位が十分にあるときはストローによって液状物を飲用することができる。液状物の液位が低くなったときは、本体部を待避位置とすることによりストローを容器の底壁直近に位置させることにより、ストローにより液状物を飲用することができる。スプーンは、ストローとは別体に形成されているために、スプーンとしての機能を担う本体部の大きさを十分に確保することができる。本体部を待避位置とするには、本体部を容器の底壁部に当接させつつストローを斜め下方に押圧するだけでよいので、使い勝手のよいものとなる。
【００１０】
上記解決手法を前提とした好ましい態様は、請求項２以下に記載のとおりである。すなわち、
前記スプーンが、全体的に合成樹脂による一体成形されている、ようにしてある（請求項２対応）。この場合、スプーンを簡単かつ安価に形成する上で好ましいものとなる。
【００１１】
前記固定部が、筒状とされて、前記ストローの先端部外周に嵌合されている、ようにしてある（請求項３対応）。この場合、嵌合によって、スプーンをストローにしっかりと固定する上で好ましいものとなる。
【００１２】
前記ヒンジ部が、前記連結部に形成された薄肉部によって構成されている、ようにしてある（請求項４対応）。この場合、ヒンジ部を極めて簡単に構成することができる。
【００１３】
前記ヒンジ部を構成する薄肉部の左右端部が部分的に肉厚とされている、ようにしてある（請求項５対応）。この場合、薄肉部とされたヒンジ部を中心とする本体部の揺動を容易にしつつも、ヒンジ部の強度を確保する上で好ましいものとなる。
【００１４】
前記連結部のうち、前記本体部の裏面側となる面にスリットが形成されることにより、前記薄肉部が形成され、
前記規制部が、前記スプーン使用位置において前記スリットが閉じられた状態とされることによって構成されている、
ようにしてある（請求項６対応）。この場合、スリットを有効に利用して、ヒンジ部の形成と規制部の構成とを行うことができる。
【００１５】
前記連結部のうち、前記本体部の裏面側となる面に前記ストローの長手方向に間隙を有するスリットが形成されることにより、前記薄肉部が形成され、
前記スリットの相対向する一方の面に、他方の面に向けて延びる突起部が形成され、
前記規制部が、前記本体部を前記使用位置から前記待避位置とは反対方向に揺動させたときに前記突起部が前記他方の面に当接することによって構成されている、
ようにしてある（請求項７対応）。この場合、スリットを有効に利用して、ヒンジ部の形成と規制部の構成とを行うようにしつつ、突起部を利用して揺動規制を確実に行う上で好ましいものとなる。
【００１６】
前記ストローの先端が、前記本体部の基端部またはその直近にまで延びており、
前記スプーン使用位置において、前記ストローの先端部が前記本体部の基端部またはその直近を裏面側から支承することにより前記規制部が構成されている、ようにしてある（請求項８対応）。この場合、ストローを有効に利用して規制部を構成することができる。
【００１７】
前記ストローは、先端部が小径部とされて、基端部側の大径部との境界に段部が形成されており、
前記固定部が、前記小径部の外周に嵌合されると共に前記段部に当接されている、
ようにしてある（請求項９対応）。この場合、段部を利用して、ストローが固定部に対して必要以上に深く挿入（嵌合）されてしまう事態を防止することができる。
【００１８】
前記固定部の先端部側に、径方向内方側に向けて突出するストッパ部が形成され、
前記固定部内に嵌合されたストローの先端が、前記ストッパ部に当接されている、
ようにしてある（請求項１０対応）。この場合、ストッパ部を利用して、ストローが固定部に対して必要以上に深く挿入（嵌合）されてしまう事態を防止することができる。
【００１９】
前記ストローの先端部外周に凹部が形成され、
前記固定部の内面に形成された凸部が、前記凹部に嵌合されている、
ようにしてある（請求項１１対応）。この場合、固定部（つまりスプーン）とストローとが相対回転してしまう事態を確実に防止することができる。また、ストローと固定部とが、ストローの軸方向に相対変位してしまう事態を防止する上でも好ましいものとなる。
【発明の効果】
【００２０】
本発明によれば、スプーンの大きさを十分に確保することができ、容器の底近くにある液状物をストローでもって飲用することができ、しかも使い勝手の良好なスプーン付きストローを提供することができる。
【図面の簡単な説明】
【００２１】
【図１】本発明によるスプーン付きストローの一例を示すもので、スプーン使用位置とされた状態での全体平面図。
【図２】図１のＸ２−Ｘ２線相当断面図。
【図３】スプーンの拡大平面図。
【図４】スプーンの拡大側面図。
【図５】スプーンの底面図。
【図６】図４のＸ６−Ｘ６線相当断面図。
【図７】スプーンの本体部が待避位置とされた状態で、容器内の液状物をストローで飲用する状態を示す断面図。
【図８】本発明の第２の実施形態を示すもので、図４に対応した側面図。
【図９】図８の要部拡大側面図。
【図１０】図８を下方から見た要部拡大図。
【図１１】図９のＸ１１−Ｘ１１線相当端面図。
【図１２】本発明の第３の実施形態を示すもので、図２に対応した断面図。
【図１３】本発明の第４の実施形態を示す要部側面断面図。
【図１４】本発明の第５の実施形態を示す要部側面断面図。
【発明を実施するための形態】
【００２２】
図１において、スプーン付きストローＳＳは、ストロー１０と、ストロー１０の先端部に固定されたスプーン２０とから構成されている。ストロー１０は、断面が円環状とされて細長く延びている。ストロー１０は、合成樹脂（特に熱可塑性合成樹脂で、例えば、ポリプロピレン、ポリエチレン、ポリ乳酸等）によって形成されている。このようなストロー１０は、既知のものをそのまま利用するようにしてある。ストロー１０の基端部側（図１右方側）が飲み口側となるもので、飲み口側付近に蛇腹部を有するものであってもよい。
【００２３】
スプーン２０は、ストロー１０への固定部位となる固定部２１と、飲食物（特に非液状物）をすくい上げるための本体部２２と、固定部２１と本体部２２とを連結する連結部２３と、を有する。実施形態では、固定部２１と本体部２２と連結部２３とは、合成樹脂による一体成形品（実施形態では射出成形）とされている。なお、スプーン２０を構成する合成樹脂としては、例えば、ＰＰ（ポリプロピレン）、ＰＥ（ポリエチレン）を用いることができる。
【００２４】
固定部２１は、筒状とされて、ストロー１０の先端部外周に嵌合された状態で、ストロー１０に固定されている（例えばきつい嵌合による固定、融着による固定あるいは接着材による固定）。この嵌合、固定状態において、ストロー１０の先端は、本体部２２には達しないようにされている（本体部２２が、ストロー１０の先端よりもさらに先端側に位置されている）。
【００２５】
本体部２２は、飲食物をすくい上げるのに便利なように、皿状の凹部形状を有しており、その前後方向長さや幅は、一般的なスプーンと同様に設定することができる。また、本体部２２の形状は、略楕円形とされているが、略方形に設定する等、一般的なスプーンにおいて適用されている種々の形状のものを選択できる。なお、本体部２２のうち、飲食物がすくい上げられて載せられる表面を符号２２ａで示し、その裏面を符号２２ｂで示す。
【００２６】
本体部２２は、固定部２１よりもストロー１０の先端側に位置されている。すなわち、迂回路１０の先端側に向けて順次、固定部２１、連結部２３、本体部２２が配設された状態とされている。連結部２３は、固定部２１のうち、その周方向一部から先端側に向けて延びている。つまり、連結部２３は、ストロー１０の軸線を境にして一方側の領域（図２上方側の領域）に位置され、これにより本体部２２もストロー１０の軸線に対して上記一方側の領域にオフセットされた状態で配設されている。
【００２７】
連結部２３は、ストロー１０の直径（最大幅）に比してより大きな幅を有するようにされて、本体部２２が固定部２１に対して横方向にぶれないようにされている。
【００２８】
連結部２３の裏面側（２２ｂ側）には、スリット３０が形成されている。このスリット３０は、連結部２３の表面側近くにまで達している。連結部２３には、スリット３０に対応した位置において、薄肉部されたヒンジ部４０が形成されている。
【００２９】
本体部２２は、上記ヒンジ部４０を中心として、揺動可能とされる。この揺動により、本体部２２は、図１、図２に示すスプーン使用位置と、後述する図７に示す待避位置とを選択的にとり得るようになっている。スプーン使用位置は、本体部２２がストロー１０の軸線延長線に沿う方向に延びるような姿勢とされて、ストロー１０を把持しつつ、本体部２２でもって飲食物をすくい上げるときに使用される位置となる。
【００３０】
上記スプーン使用位置から、本体部２２を略９０度程度上方へ向かうように揺動させる（ストロー１０の径方向外方側に向かう方向への揺動）ことにより、本体部２２の待避位置とされる。すなわち、ストロー１０を把持しつつ、図７に示すように容器５０の底壁部に本体部２２の先端部を当接させるようにして、ヒンジ部４０を中心として本体部２２を略９０度揺動させることにより、本体部２２の裏面２２ｂがストロー１０の先端とほぼ同じ高さ位置となるようにされる。これにより、容器５０の底壁付近に残っている液状物６０を、スプーン２０（の本体部２２）に邪魔されることなく、ストロー１０によって飲用することが可能となる。
【００３１】
ここで、本体部２２は、スプーン使用位置から、待避位置とは反対方向に揺動させること（図２の状態から本体部２２を下方側に向けて揺動させること）は、規制部７０によって規制される。
【００３２】
上記規制部７０は、実施形態では、スリット３０を利用して構成するようにしてある。すなわち、スプーン使用位置においては、スリット３０の相対向する一対の面３０ａ、３０ｂ（図７参照）が、図２〜図４、図５に示すように互いに当接した状態とされる。そして、一対の面３０ａ、３０ｂが当接している状態から、さらに待避位置とは反対方向へ向けて揺動することが規制されることになる。この揺動規制によって、スプーン使用位置において、本体部２２上にある飲食物からの重量を受けても、本体部２２はスプーン使用位置を保持することになる。
【００３３】
図７に示す容器５０内に、例えば、例えばコーヒーやソーダ水等の液状物にアイスクリームやシャーベット等の非液状物が載せられている状態を想定する。このとき、当初は、スプーン使用位置とされた本体部２２によって非液状物をすくい上げて飲食しつつ、ストロー１０を利用して液状物を飲用することができる。
【００３４】
飲食の進行（時間の経過）により、容器５０内に液状物のみとなり、しかも容器５０内での液位が相当に低くなった状態を想定する。この場合は、スプーン使用位置のままでは、本体部２２（の先端）が容器５０の底壁に当接して、ストロー１０の先端（図７下端）がかなり高い位置となって、そのままではストロー１０によって液状物を飲用できない状態を生じる。このようなときは、ストロー１０に斜め下方への押圧力を加えつつ、本体部２２を待避位置に向けて揺動させればよい。本体部２２を待避位置とすることにより、ストロー１０の先端を十分に容器５０の底壁付近（底壁に当接させることも可能）に位置させることができ、低い液位とされた液状物をストロー１０によって飲用することができる。
【００３５】
図８〜図１１は、本発明の第２の実施形態を示すものであり、前記実施形態と同一構成要素には同一符号を付してその重複した説明は省略する。
【００３６】
本実施形態では、前記実施形態と同様に、連結部２３の裏面側にスリット３０Ｂを形成して、薄肉部となるヒンジ部４０を形成してある。ただし、スリット３０Ｂは、本体部２２がスプーン使用位置にあるときでも、相対向する面３０ａと３０ｂとの間にストロー１０の長手方向（図８左右方向）に間隙を有するように形成されている。スリット３０Ｂは、図１１に示すように、その左右端部が他の部位よりも部分的に肉厚とされて、ヒンジ部３０Ｂの強度が確保されている。勿論、本体部２２は、ヒンジ部４０を中心として、スプーン使用位置から待避位置へ向けて揺動可能とされる。
【００３７】
相対向する一方の面３０ａには、他方の面３０ｂに向けて突出する突起部２５が形成されている。この突起部２５の先端は、本体部２２がスプーン使用位置にあるときに、他方の面３０ｂの直近に位置されている（他方の面３０ｂに当接される状態としてもよい）。これにより、本体部２２がスプーン使用位置から待避位置とは反対方向へ揺動されようとしたときに、突起部２５（の先端）が他方の面３０ｂに当接して、この揺動が規制される。このように、本実施形態では、突起部２５と他方の面３０ｂとによって、揺動規制のための規制部７０Ｂが構成されている。なお、突起部２５を他方の面３０ｂから突出させるようにして、この突起部２５の先端を一方の面３０ａの直近に位置させる（あるいは一方の面３０ａに当接させる）ようにしてもよい。
【００３８】
突起部２５は、実施形態では、ヒンジ部４０（の裏面）に一体化されて、突起部２５によるヒンジ部４０の補強が行われている。なお、突起部４０を、ヒンジ部４０（の裏面）から離間させることもできる。また、突起部２５は、実施形態では、連結部２３の幅方向に間隔をあけて２個形成してあるが、突起部２５の数は１個あるいは３個以上とすることもできる。
【００３９】
図１２は、本発明の第３の実施形態を示すものである。本実施形態では、前記各実施形態と同様に、連結部２３の裏面側にスリット３０Ｃを形成することにより、薄肉部としてのヒンジ部４０を形成してある。ただし、スリット３０Ｃの相対向する一対の面は、スプーン使用位置にあっても互いに離間した状態とされている。つまり、スリット３０Ｃを利用した揺動規制は行われないものとなっている。
【００４０】
本実施形態では、ストロー１０の先端部を前記実施形態の場合よりも本体部２２に近い位置にまで存在させて、ストロー１０の先端部によって、連結部２３をその裏面側から支承するようにしてある。このストロー１０の先端位置は、スリット３０Ｃよりもさらに先端側に位置するようにされている。
【００４１】
スプーン使用位置において、連結部２３の裏面側がストロー１０の先端部によって支承されていることから、本体部２２は、スプーン使用位置から待避位置とは反対方向への揺動が規制されることになる（ストロー１０の先端部が揺動規制を行う規制部７０Ｃを構成）。
【００４２】
図１２の変形例として、ストロー１０の先端位置をさらに本体部２２に達するように延長させることもできる。この場合、ストロー１０の先端部のうち本体部２２側の面を、本体部２２の裏面形状に沿う凹状とした偏平形状とするのが好ましい。また、スリットとして前記実施形態の場合と同様のスリット３０として、その一対の面３０ａと３０ｂとがスプーン使用位置において互いに当接するようにしてもよく、あるいは図８〜図１１に示すように突起部２５を利用した揺動規制を行うようにしてもよい（揺動規制を行う規制部を２重に構成）
図１３は、本発明の第４の実施形態を示すものである。本実施形態は、図８〜図１１に示す実施形態のうち固定部２１とストロー１０との取付態様を変更したものとなっている。すなわち、ストロー１０の先端部に小径部１０ａを形成して、小径部１０ａとこれよりも基端部側の大径部１０ｂとの間に段部１０ｃを形成してある。段部１０ｃは、ストロー１０の先端（図１左方端）に向けて徐々に小径となるように傾斜（テーパ状）とされている。
【００４３】
円筒状の固定部２１は、上記小径部１０ａの外周に圧入状態で嵌合されている。そして、固定部２１の基端部内面に、ストロー１０の基端部側に向けて徐々に拡径するテーパ部２１ａが形成されて、テーパ部２１ａが段部１０ｃ（のテーパ面）に密着状態で当接されている（ストロー１０が固定部２１に対して必要以上に深く挿入されてしまうことの防止）。
【００４４】
図１４は、本発明の第５の実施形態を示すものである。本実施形態は、図８〜図１１に示す実施形態のうち固定部２１とストロー１０との取付態様を変更したものとなっている。すなわち、ストロー１０の先端部外周に、周方向等間隔に複数（実施形態では９０度間隔で４個）の凹部（係止用凹部）１０ｄが形成されている。
【００４５】
円筒状の固定部２１の内面には、上記凹部１０ｄに対応させて、複数の凸部（係止用凸部）２１ｂが形成されている。また、固定部２１の先端部側には、径方向内方側に向けて突出するストッパ部２１ｃが形成されている。このストッパ部２１ｃは、固定部２１の周方向に連続した円環状の形態でもよく、あるいは周方向に等間隔に複数形成された突起状の形態とすることもできる。
【００４６】
固定部２１内に挿入（圧入）されるストロー１０は、その先端がストッパ部２１ｃに当接することによりこれ以上の挿入が規制される。また、ストロー１０の先端がストッパ部２１ｃに当接した状態で、凸部２１ｂが凹部１０ｄに嵌合される。凸部２１ｂと凹部１０ｄとの嵌合により、ストロー１０と固定部２１とは、その相対回転が確実に規制されると共にストロー１０の軸方向での相対変位も規制される。
【００４７】
なお、凹部１０ｄは、ストロー１０の基端部側に向けて徐々に浅くなる傾斜面とされる一方、ストロー１０の先端部側はほぼストロー１０の径方向に延びる直角な壁部とされている。凸部２１ｂは、凹部１０ｄに対応した形状（隙間なく嵌合される形状）とされている。これにより、固定部２１に対してストロー１０の先端部を挿入していく過程において、凹部１０ｄと凸部２１ｂとの嵌合がスムースに行われる一方、凹部１０ｄに凸部２１ｂが嵌合した後は、ストロー１０の固定部２１からの抜けが強固に規制される。
【００４８】
以上実施形態について説明したが、本発明は、実施形態に限定されるものではなく、特許請求の範囲において適宜の変更が可能である。スプーン２０を、例えば連結部２３付近を境に第１部材と第２部材との２分割構成としつつ、２つの部材同士を互いに揺動可能に連結するようにしてもよい。この場合、揺動可能な連結のためのピン部を一方の部材に形成する一方、他方の部材に上記ピン部が回動可能に嵌合される取付孔を形成し、さらにスプーン使用位置から待避位置とは反対方向へ揺動させようとしたときに互いに当接される部位（つまり規制部）を各部材間に形成しておくことができる。勿論、本発明の目的は、明記されたものに限らず、実質的に好ましいあるいは利点として表現されたものを提供することをも暗黙的に含むものである。
【産業上の利用可能性】
【００４９】
本発明は、スプーン付きストローとして好ましいものを提供できる。
【符号の説明】
【００５０】
ＳＳ・スプーン付きストロー
１０：ストロー
１０ａ：小径部（図１３）
１０ｂ：大径部（図１３）
１０ｃ：段部（図１３）
１０ｄ：凹部（図１４）
２０：スプーン
２１：固定部
２１ａ：テーパ部（図１３）
２１ｂ：凸部（図１４）
２１ｃ：ストッパ部（図１４）
２２：本体部
２３：連結部
２５：突起部
３０：スリット
３０Ｂ：スリット（図８〜図１１）
３０Ｃ：スリット（図１２）
３０ａ：一方の面
３０ｂ：他方の面
４０：ヒンジ部
５０：容器
６０：液状物
７０：規制部
７０Ｂ：規制部（図８〜図１１）
７０Ｃ：規制部（図１２）
【図１】
2019111340.tif 000003
【図２】
2019111340.tif 000004
【図３】
2019111340.tif 000005
【図４】
2019111340.tif 000006
【図５】
2019111340.tif 000007
【図６】
2019111340.tif 000008
【図７】
2019111340.tif 000009
【図８】
2019111340.tif 000010
【図９】
2019111340.tif 000011
【図１０】
2019111340.tif 000012
【図１１】
2019111340.tif 000013
【図１２】
2019111340.tif 000014
【図１３】
2019111340.tif 000015
【図１４】
2019111340.tif 000016